(57)【要約】【課題】宅内端末で“延長”のための表示や“延長”のための追加のキー操作入力を行わなくても、通話路を切断する時間を延長する。【解決手段】宅外端末１と、宅内端末２とを備え、これら宅外端末１と宅内端末２との間に通話路を形成する場合にタイマ部２４をスタートし、そのタイマ部２４をスタートした時点から一定時間が経過したときに通話路を切断するインターホンシステムであって、一定時間内に通話が保留されると、通話路を切断する時間を延長する。【選択図】　図１
2004088412.tif 000002
【特許請求の範囲】
【請求項１】
宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間内に通話が保留されると、前記通話路を切断する時間を延長することを特徴とするインターホンシステム。
【請求項２】
宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間経過の所定時間前に、少なくとも前記宅内端末から前記宅外端末への送話路を遮断した状態で、前記宅内端末側の通話者に対して、前記宅外端末と前記宅内端末との間の通話時間の延長入力を音または音声で促し、その延長の旨の音声入力があれば、前記通話路を切断する時間を延長することを特徴とするインターホンシステム。
【請求項３】
宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間経過の所定時間前に、前記宅外端末または前記宅内端末から音声を検出すれば、前記通話路を切断する時間を延長することを特徴とするインターホンシステム。
【発明の詳細な説明】
【０００１】
【発明の属する技術分野】
本発明は、宅外端末と宅内端末との間に通話路を形成する場合にタイマをスタートし、そのタイマをスタートした時点から一定時間が経過したときに通話路を切断するインターホンシステムに関するものである。
【０００２】
【従来の技術】
従来、宅外端末と宅内端末との間に通話路を形成する場合にタイマをスタートし、そのタイマをスタートした時点から一定時間が経過したときに通話路を切断するインターホンシステムが各種市販されている。
【０００３】
【発明が解決しようとする課題】
しかしながら、従来のインターホンシステムでは、上記一定時間の経過時点で通話路を切断しないで、通話時間を延長することができるようにするには、宅内端末のモニタ画面に“延長”という文字を表示し、その近傍のボタンを押下させるように構成する必要があった。あるいは、通話時間切れ表示灯で報知し、通話延長スイッチが操作されたときに通話時間を延長するようにしたハンズフリーインターホンも開示されている（特開平７−１３１５８号公報）。
【０００４】
なお、通話時間を延長することができない機種では、ＬＥＤなどの表示素子を動作させることで、一定時間が経過することを知らせるようにしていた。
【０００５】
本発明は、上記事情に鑑みてなされたものであり、宅内端末で“延長”のための表示や“延長”のための追加のキー操作入力を行わなくても、通話路を切断する時間を延長することができるインターホンシステムを提供することを目的とする。
【０００６】
【課題を解決するための手段】
上記課題を解決するための請求項１記載の発明は、宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間内に通話が保留されると、前記通話路を切断する時間を延長することを特徴とする。
【０００７】
請求項２記載の発明は、宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間経過の所定時間前に、少なくとも前記宅内端末から前記宅外端末への送話路を遮断した状態で、前記宅内端末側の通話者に対して、前記宅外端末と前記宅内端末との間の通話時間の延長入力を音または音声で促し、その延長の旨の音声入力があれば、前記通話路を切断する時間を延長することを特徴とする。
【０００８】
請求項３記載の発明は、宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間経過の所定時間前に、前記宅外端末または前記宅内端末から音声を検出すれば、前記通話路を切断する時間を延長することを特徴とする。
【０００９】
【発明の実施の形態】
（第１実施形態）
図１は本発明に係る第１実施形態のインターホンシステムの構成図、図２は同インターホンシステムの動作フロー図である。
【００１０】
第１実施形態のインターホンシステムは、図１に示すように、宅外端末１と、宅内端末２とを備え、これら宅外端末１と宅内端末２との間のケーブル３上に通話路を形成する場合にタイマ（後述のタイマ部２４）をスタートし、そのタイマをスタートした時点から一定時間が経過したときに上記通話路を切断する機能を有するものであり、上記一定時間内に通話が保留されると、上記通話路を切断する時間を延長することを特徴とする。
【００１１】
すなわち、宅内端末２は、宅外端末１からの呼出しを検出する呼出検出部２１と、その呼出しに応じて図略のボタンを押すなどして応答操作が行われたか否かを検出する応答検出部２２と、この応答検出部２２により応答操作が検出されると、宅外端末１との間に通話路を形成する通話路形成部２３と、この通話路形成部２３により通話路が形成されると上記一定時間の計時を開始するタイマ部２４と、その一定時間内に例えば従来と同様の所定操作で通話が保留されたか否かを検出する保留検出部２５と、この保留検出部２５により通話が保留されたことを検出すれば、通話路を切断する時間を延長し、そうでなければ上記一定時間経過時点で通話路を切断する通話路切断部２６とにより構成されている。
【００１２】
なお、宅内端末２は、従来と同様に、呼出検出部２１によって呼出しが検出されたとき、図示しない例えばスピーカやチャイムなどで来客の有ることを宅内に報知するようになっている。他方、宅外端末１は、従来と同様であり、カメラが設けられることもあり、カメラが設けられる場合には、それに対応する例えば液晶表示パネルによりなるモニタが宅内端末２に設けられることになる。
【００１３】
このように構成されるインターホンシステムでは、図２に示すように、呼出が検出され（Ｓ１でＹｅｓ）、応答が検出されると（Ｓ２でＹｅｓ）、通話路が形成され（Ｓ３）、タイマ部２４による一定時間の計時がスタートする（Ｓ４）。
【００１４】
この後、一定時間内に保留が検出されれば（Ｓ５でＹｅｓ等）、ステップＳ４に戻り、通話路を切断する時間が延長され、一定時間内に保留が検出されなければ（Ｓ５でＮｏ，Ｓ６でＹｅｓ）、通話路が切断される（Ｓ７）。なお、保留の解除は、従来と同様に通話者により適宜実行される。
【００１５】
このように、一定時間内に通話が保留されると、通話路を切断する時間を延長することにより、宅内端末２で“延長”のための表示や“延長”のための追加のキー操作入力を行わなくても、通話路を切断する時間を自動的に延長することができる。特に、保留中は、保留の前後で通話者が異なる場合があるが、その場合、保留後の通話者が延長操作が必要であることを気にしなくても、保留のない状態と変わらない通話時間で来客の応対が可能となる。
【００１６】
（第２実施形態）
図３は本発明に係る第２実施形態のインターホンシステムの構成図、図４は同インターホンシステムの動作フロー図である。
【００１７】
第２実施形態のインターホンシステムは、図３に示すように、宅外端末１と、宅内端末２Ａとを備え、これら宅外端末１と宅内端末２Ａとの間のケーブル３上に通話路を形成する場合にタイマ（後述のタイマ部２４）をスタートし、そのタイマをスタートした時点から一定時間が経過したときに上記通話路を切断する機能を有するものであり、一定時間経過の所定時間（例えば数秒から十数秒程度）前に、少なくとも宅内端末２Ａから宅外端末１への送話路を遮断した状態で、宅内端末２Ａ側の通話者に対して、宅外端末１と宅内端末２Ａとの間の通話時間の延長入力を音または音声で促し、その延長入力があれば、通話路を切断する時間を延長することを特徴とする。
【００１８】
すなわち、宅内端末２Ａは、呼出検出部２１と、応答検出部２２と、通話路形成部２３と、タイマ部２４とを第１実施形態の宅内端末２と同様に備えているほか、第１実施形態の宅内端末２との相違点として、一定時間経過の所定時間前に、少なくとも宅内端末２Ａから宅外端末１への送話路を遮断した状態で、宅内端末２Ａ側の通話者に対して、宅外端末１と宅内端末２Ａとの間の通話時間の延長入力を音または音声で促す音声メッセージ送出部２５Ａと、その延長入力があれば、通話路を切断する時間を延長し、そうでなければ一定時間経過時点で通話路を切断する通話路切断部２６Ａとを備えている。
【００１９】
このように構成されるインターホンシステムでは、図４に示すように、呼出が検出され（Ｓ１０でＹｅｓ）、応答が検出されると（Ｓ１１でＹｅｓ）、通話路が形成され（Ｓ１２）、タイマ部２４による一定時間の計時がスタートする（Ｓ１３）。
【００２０】
この後、一定時間経過の所定時間前になると（Ｓ１４でＹｅｓ）、少なくとも宅内端末２Ａから宅外端末１への送話路を遮断して（Ｓ１５）、宅内端末２Ａ側の通話者に対して、宅外端末１と宅内端末２Ａとの間の通話時間の延長入力を音または音声で促し（Ｓ１６）、続いて遮断した送話路を元に戻す（Ｓ１７）。
【００２１】
この後、延長入力があれば（Ｓ１８でＹｅｓ）、ステップＳ１３に戻って通話路を切断する時間を延長し、そうでなければ（Ｓ１８でＮｏ）、ステップＳ１９に進む。
【００２２】
ステップＳ１９に進むと、一定時間が経過したか否かの判別が行われ、経過しなければ（Ｓ１９でＮｏ）、ステップＳ１８に戻り、経過すれば（Ｓ１９でＹｅｓ）、通話路が切断される（Ｓ２０）。
【００２３】
このように、一定時間経過の所定時間前に、少なくとも宅内端末２Ａから宅外端末１への送話路を遮断した状態で、宅内端末２Ａ側の通話者に対して、宅外端末１と宅内端末２Ａとの間の通話時間の延長入力を音または音声で促し、その延長入力があれば、通話路を切断する時間を延長することにより、宅内端末２Ａで“延長”のための表示や“延長”のための追加のキー操作入力を行わなくても、通話路を切断する時間を自動的に延長することができる。また、延長入力を音または音声で促す間、少なくとも宅内端末２Ａから宅外端末１への送話路が遮断されるので、通話時間の延長入力を促す音または音声が図示しないマイクで集音されて宅外端末１に漏れるのを防止することができる。
【００２４】
（第３実施形態）
図５は本発明に係る第３実施形態のインターホンシステムの構成図、図６は同インターホンシステムの動作フロー図である。
【００２５】
第３実施形態のインターホンシステムは、図５に示すように、宅外端末１と、宅内端末２Ｂとを備え、これら宅外端末１と宅内端末２Ｂとの間のケーブル３上に通話路を形成する場合にタイマ（後述のタイマ部２４）をスタートし、そのタイマをスタートした時点から一定時間が経過したときに上記通話路を切断する機能を有するものであり、一定時間経過の所定時間前に、宅外端末１または宅内端末２Ｂから音声を検出すれば、通話路を切断する時間を延長することを特徴とする。
【００２６】
すなわち、宅内端末２Ｂは、呼出検出部２１と、応答検出部２２と、通話路形成部２３と、タイマ部２４とを第１実施形態の宅内端末２と同様に備えているほか、宅内端末２との相違点として、一定時間経過の所定時間前に、宅外端末１または宅内端末２Ｂから音声を検出する音声検出部２５Ｂと、その音声が検出されれば、通話路を切断する時間を延長し、そうでなければ一定時間経過時点で通話路を切断する通話路切断部２６Ｂとを備えている。
【００２７】
このように構成されるインターホンシステムでは、図６に示すように、呼出が検出され（Ｓ２１でＹｅｓ）、応答が検出されると（Ｓ２２でＹｅｓ）、通話路が形成され（Ｓ２３）、タイマ部２４による一定時間の計時がスタートする（Ｓ２４）。
【００２８】
この後、一定時間経過の所定時間前になると（Ｓ２５でＹｅｓ）、宅内端末２Ｂ側の通話者に対して、宅外端末１と宅内端末２Ｂとの間の通話時間の延長入力を音または音声で促し（Ｓ２６）、この後、宅外端末１または宅内端末２Ｂから音声が検出されたか否かの判別が行われる（Ｓ２７）。
【００２９】
そして、音声が検出されれば（Ｓ２７でＹｅｓ）、ステップＳ２４に戻って通話路を切断する時間を延長し、そうでなければ（Ｓ２７でＮｏ）、ステップＳ２８に進む。
【００３０】
ステップＳ２８に進むと、一定時間が経過したか否かの判別が行われ、経過しなければ（Ｓ２８でＮｏ）、ステップＳ２７に戻り、経過すれば（Ｓ２８でＹｅｓ）、通話路が切断される（Ｓ２９）。
【００３１】
このように、一定時間経過の所定時間前に、宅内端末２Ｂ側から音声を検出すれば、通話路を切断する時間を延長することにより、宅内端末２Ｂで“延長”のための表示や“延長”のための追加のキー操作入力を行わなくても、通話路を切断する時間を自動的に延長することができる。また、通話時間の延長入力を音または音声で促すことにより、通話終了後の通話路の切断忘れを防止することができ、無用な自動延長を防止することができる。
【００３２】
【発明の効果】
以上のことから明らかなように、請求項１記載の発明は、宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間内に通話が保留されると、前記通話路を切断する時間を延長するので、宅内端末で“延長”のための表示や“延長”のための追加のキー操作入力を行わなくても、通話路を切断する時間を自動的に延長することができる。特に、保留中は、保留の前後で通話者が異なる場合があるが、その場合、保留後の通話者が延長操作が必要であることを気にしなくても、適切な通話時間で来客の応対が可能となる。
【００３３】
請求項２記載の発明は、宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間経過の所定時間前に、少なくとも前記宅内端末から前記宅外端末への送話路を遮断した状態で、前記宅内端末側の通話者に対して、前記宅外端末と前記宅内端末との間の通話時間の延長入力を音または音声で促し、その延長の旨の音声入力があれば、前記通話路を切断する時間を延長するので、宅内端末で“延長”のための表示や“延長”のための追加のキー操作入力を行わなくても、通話路を切断する時間を自動的に延長することができる。
【００３４】
請求項３記載の発明は、宅外端末と、宅内端末とを備え、これら宅外端末と宅内端末との間に通話路を形成する場合にタイマをスタートし、そのタイマをスタートした時点から一定時間が経過したときに前記通話路を切断するインターホンシステムであって、前記一定時間経過の所定時間前に、前記宅外端末または前記宅内端末から音声を検出すれば、前記通話路を切断する時間を延長するので、宅内端末で“延長”のための表示や“延長”のための追加のキー操作入力を行わなくても、通話路を切断する時間を自動的に延長することができる。
【図面の簡単な説明】
【図１】本発明に係る第１実施形態のインターホンシステムの構成図である。
【図２】同インターホンシステムの動作フロー図である。
【図３】本発明に係る第２実施形態のインターホンシステムの構成図である。
【図４】同インターホンシステムの動作フロー図である。
【図５】本発明に係る第３実施形態のインターホンシステムの構成図である。
【図６】同インターホンシステムの動作フロー図である。
【符号の説明】
１　宅外端末
２，２Ａ　宅内端末
２１　呼出検出部
２２　応答検出部
２３　通話路形成部
２４　タイマ部
２５　保留検出部
２５Ａ　音声メッセージ送出部
２５Ｂ　音声検出部
２６，２６Ａ，２６Ｂ　通話路切断部
【図１】
2004088412.tif 000003
【図２】
2004088412.tif 000004
【図３】
2004088412.tif 000005
【図４】
2004088412.tif 000006
【図５】
2004088412.tif 000007
【図６】
2004088412.tif 000008